(57)【要約】      （修正有）【課題】収納箱からのビニール袋の取り出しを円滑に行えるビニール袋収納箱ホルダーを提供する。【解決手段】ビニール袋収納箱ホルダー１は、ビニール袋収納箱２に取り付けるコ字型のホルダー本体１０と、ホルダー本体を固定面４に保持させるための保持体１１とを有する。ビニール袋収納箱は、薄型の矩形箱から形成され、側面２１ａ、２１ｂにビニール袋３の取出し口が上下面２２a、２２ｂの一部と連続して開口形成される。ホルダー本体は、ビニール袋収納箱の側面の上下幅と略同じ長さの幅を有する基板１２と、基板の幅方向両端から立設されて先端側が内方へ傾いて形成された一対の挟持板１３ａ、１３ｂと、一対の挟持板の内面に形成された係合爪１４とを有し、一対の挟持板の間にビニール袋収納箱の上下面を挟持させるとともに、係合爪を袋取出し口に引っ掛けてビニール袋収納箱を保持させる。【選択図】図３
0003211101.tif 000002
【実用新案登録請求の範囲】
【請求項１】
多数枚積層したビニール袋を箱内部に収納するビニール袋収納箱に取り付けるコ字型をなすホルダー本体と、ホルダー本体に設けられてホルダー本体を所定の固定面に保持させるための保持体とを有し、
ホルダー本体に取り付けるビニール袋収納箱としては、側面の上下幅が左右幅よりも狭い薄型の矩形箱から形成され、側面にはビニール袋を１袋ずつ取り出すための袋取出し口が上下面の一部と連続して開口形成され、上下面には孔又は切り込みからなる被係合部が形成可能とされるものであり、
ホルダー本体は、ビニール袋収納箱の側面の上下幅と略同じ長さの幅を有する基板と、基板の幅方向両端から立設されて先端側が内方へ傾いて形成された一対の挟持板と、一対の挟持板の内面に形成された係合爪とを有し、一対の挟持板の間にビニール袋収納箱の上下面を挟持させるとともに、係合爪を該ビニール袋収納箱の上下面に連続する袋取出し口又は被係合部に引っ掛けて該ビニール袋収納箱を保持させる構成としたビニール袋収納箱ホルダー。
【請求項２】
請求項１に記載のビニール袋収納箱ホルダーにおいて、
保持体は、ホルダー本体の外面側に設けられ、ホルダー本体の基板と挟持板とを連設する角部に回動可能に軸支された可動板により構成され、
可動板は、挟持板の外面に沿って配置させた折畳状態と基板と面一に外方へ延ばして配置させた展開状態とに変更可能に取り付けられ、折畳状態では可動板の先端部が挟持板の外面に突設した突部と係合され、展開状態では可動板の基端面が基板の端部の当たり面と当接して回動規制される構成としたビニール袋収納箱ホルダー。
【請求項３】
請求項２に記載のビニール袋収納箱ホルダーにおいて、
可動板は、隣接物の脚を配置可能とする貫通孔が設けられているビニール袋収納箱ホルダー。
【請求項４】
請求項１に記載のビニール袋収納箱ホルダーにおいて、
保持体は、ホルダー本体の外面に設けた磁石、吸盤、面ファスナー又は粘着テープにより構成されるビニール袋収納箱ホルダー。
【請求項５】
請求項１〜４のいずれか１項に記載のビニール袋収納箱ホルダーを取り付け可能とするビニール袋収納箱であって、
側面の上下幅が左右幅よりも狭い薄型の矩形箱から形成され、
箱内部には多数枚積層したビニール袋が収納され、
側面には箱構成基材を切り取り線に沿って切り離すことによりビニール袋を１袋ずつ取り出すための袋取出し口が上下面の一部と連続して開口形成され、
上下面には孔又は切り込みからなる被係合部が形成可能とされるビニール袋収納箱。
【請求項６】
請求項５に記載のビニール袋収納箱において、
上下面には、切り離し線の始端と終端が袋取出し口を形成する側面（２１ａ）以外の３つの側面のうちのどれか１つの側面（２１）との角部に達して形成され、切り離し線により切り離した上下面の箱構成基材を展開することにより隣接物を載置可能とする保持片が形成されるビニール袋収納箱。
【請求項７】
請求項５又は６に記載のビニール袋収納箱において、
箱内部に収納する各ビニール袋は、開口部側を上にして二つ折りに折り畳まれたビニール袋を１袋ずつ谷折り側を交互に対向させ、同じ向きに配置される上側に重ね合わされるビニール袋の下折部分と下側に重ね合わされるビニール袋の上折部分とを逆向きに配置されて対向するビニール袋の上折部分と下折部分の間に配置させるように積層してビニール袋の積層束とされ、この積層束を更に二つ折りに折り畳んだ状態でこの二つ折り積層束の折り曲げ側を袋取出し口が形成される側面側に向けて配置されているビニール袋収納箱。
【請求項８】
ビニール袋収納箱の袋取出し口から１袋ずつ取り出す際に開口部側が露出するように、箱内部に多数枚積層して収納される四角形のビニール袋であって、
開口部付近には、本ビニール袋を形成する二つのシート部に同じ大きさ、形状及び位置にて貫通させた指掛け孔が設けられ、
指掛け孔周辺の一方又は両方のシート部には、指掛け孔の目印となる印刷が施されているビニール袋。
【考案の詳細な説明】
【技術分野】
【０００１】
本考案は、ビニール袋収納箱からのビニール袋の取り出しを円滑に行えるようにしたビニール袋収納箱ホルダー、ビニール袋収納箱及びビニール袋に関するものである。
【背景技術】
【０００２】
ビニール袋収納箱として、箱内部に多数枚積層したビニール袋を収納して、箱の袋取出し口からビニール袋を１袋ずつ取り出せるようにしたものがある。
【先行技術文献】
【特許文献】
【０００３】
【特許文献１】特開２０１６−１９０６７８号公報
【考案の概要】
【考案が解決しようとする課題】
【０００４】
ビニール袋は、食品、小物、ゴミなど様々な物を収容するのに用いられている。従って、前記ビニール袋収納箱は、家庭内、オフィス、パン屋のような食品売り場、飲食店など様々な生活空間の中ですぐ手元にとどく場所に置いておくのが便利である。しかし、箱を置くには平らな場所が必要であり、しかも箱は嵩張るので、置き場所にはある程度のスペースが必要となる。そして、ビニール袋収納箱を単に置いた状態では、箱からビニール袋を引っ張り出すときに箱ごと引っ張られて円滑にビニール袋を取り出せない場合があった。
【０００５】
本考案の目的は、ビニール袋収納箱からのビニール袋の取り出しを円滑に行えるようにすることにある。具体的には、ビニール袋収納箱を省スペースに配置させることが可能であり、ビニール袋を取り出すときには箱が動かず円滑にビニール袋を取り出せるようにするビニール袋収納箱ホルダーを提供することにある。また、このようなビニール袋収納箱ホルダーを取り付けるのに適し、且つビニール袋の取り出しが円滑に行えるビニール袋収納箱を提供し、さらには、ビニール袋収納箱からの取り出しが簡易に行なえ且つ開口部の開口が容易なビニール袋を提供することでもある。
【課題を解決するための手段】
【０００６】
本考案に係るビニール袋収納箱ホルダーは、
多数枚積層したビニール袋を箱内部に収納するビニール袋収納箱に取り付けるコ字型をなすホルダー本体と、ホルダー本体に設けられてホルダー本体を所定の固定面に保持させるための保持体とを有し、
ホルダー本体に取り付けるビニール袋収納箱としては、側面の上下幅が左右幅よりも狭い薄型の矩形箱から形成され、側面にはビニール袋を１袋ずつ取り出すための袋取出し口が上下面の一部と連続して開口形成され、上下面には孔又は切り込みからなる被係合部が形成可能とされるものであり、
ホルダー本体は、ビニール袋収納箱の側面の上下幅と略同じ長さの幅を有する基板と、基板の幅方向両端から立設されて先端側が内方へ傾いて形成された一対の挟持板と、一対の挟持板の内面に形成された係合爪とを有し、一対の挟持板の間にビニール袋収納箱の上下面を挟持させるとともに、係合爪を該ビニール袋収納箱の上下面に連続する袋取出し口又は被係合部に引っ掛けて該ビニール袋収納箱を保持させる構成としたものである。
【０００７】
また、ビニール袋収納箱は、
上記のビニール袋収納箱ホルダーを取り付け可能とするビニール袋収納箱であって、
側面の上下幅が左右幅よりも狭い薄型の矩形箱から形成され、
箱内部には多数枚積層したビニール袋が収納され、
側面には箱構成基材を切り取り線に沿って切り離すことによりビニール袋を１袋ずつ取り出すための袋取出し口が上下面の一部と連続して開口形成され、
上下面には孔又は切り込みからなる被係合部が形成可能とされている。
【０００８】
さらに、ビニール袋は、
ビニール袋収納箱の袋取出し口から１袋ずつ取り出す際に開口部側が露出するように、箱内部に多数枚積層して収納される四角形のビニール袋であって、
開口部付近には、本ビニール袋を形成する二つのシート部に同じ大きさ、形状及び位置にて貫通させた指掛け孔が設けられ、
指掛け孔周辺の一方又は両方のシート部には、指掛け孔の目印となる印刷が施されている。
【考案の効果】
【０００９】
本考案に係るビニール袋収納箱ホルダーによれば、既に存在する複数の載置物の間のデッドスペース等を有効に利用してビニール袋収納箱を省スペースに配置させることができ、且つビニール袋収納箱からビニール袋を取り出す際にはビニール袋収納箱が動かず円滑にビニール袋を取り出すことができる。
【００１０】
また、ビニール袋収納箱によれば、薄型のビニール袋収納箱を細幅の側面を上下方向（鉛直方向）に向けてキャビネットや机上等に置かれている複数の載置物の間の狭いスペースに配置させることができ、側面の袋取出し口からビニール袋の取り出しを円滑に行うことができる。また、ビニール袋収納箱ホルダーの取り付けに適したものとなる。
【００１１】
さらに、ビニール袋によれば、開口部側に指掛け孔が設けられ、且つ指掛け孔の存在を認識させる目印の印刷が施されているので、高齢者であってもビニール袋収納箱からのビニール袋の取り出しが簡易に行なえ、且つ袋の開口部の開口を容易に行うことができる。
【図面の簡単な説明】
【００１２】
【図１】実施形態のビニール袋収納箱ホルダーを示す側面図である。
【図２】実施形態のビニール袋収納箱ホルダーを示す図であり、同図（ａ）は上面図、同図（ｂ）は正面図、同図（ｃ）は下面図、同図（ｄ）は背面図である。
【図３】ビニール袋収納箱ホルダーの一使用例として、可動板で保持する場合を示す側面図である。
【図４】ビニール袋収納箱ホルダーを取り付けてビニール袋収納箱を横長に立てた状態を示す正面図である。
【図５】ビニール袋収納箱ホルダーを取り付けてビニール袋収納箱を縦長に立てた状態を示す正面図である。
【図６】ビニール袋収納箱ホルダーの一使用例として、磁石で保持する場合を示す側面図である。
【図７】ビニール袋収納箱を示す斜視図である。
【図８】ビニール袋収納箱の各面を示す図である。
【図９】ビニール袋を示す図であり、同図（ａ）は正面図、同図（ｂ）は開口部が開いた状態の斜視図である。
【図１０】ビニール袋収納箱に収納するビニール袋の状態を示す図であり、同図（ａ）は積層する各ビニール袋の折畳み状態を示す模式図、同図（ｂ）はビニール袋の積層束を二つ折りにした状態を示す模式図、同図（ｃ）は二つ折りにしたビニール袋の積層束の箱内部での配置状態を示す模式図である。
【考案を実施するための形態】
【００１３】
以下に、本考案の実施形態について図面を参照しながら説明する。
実施形態のビニール袋収納箱ホルダー１は、側面２１ａにビニール袋３の袋取出し口２０が設けられるビニール袋収納箱２（図７参照）に対して取り付け、このビニール袋収納箱２を所定の固定面４に保持させるようにするものである。ビニール袋収納箱２は、側面２１の上下幅が左右幅よりも狭い薄型の矩形箱で形成されたものであり（図８参照）、詳しくは後述する。図１、図２に示すように、ビニール袋収納箱ホルダー１は、薄型のビニール袋収納箱２の上下面２２ａ，２２ｂを挟み込むコ字型のホルダー本体１０と、ホルダー本体１０に設けられてホルダー本体１０を所定の固定面４に保持させるための保持体となる可動板１１とを備えている。
【００１４】
ホルダー本体１０は、長方形形状を有してビニール袋収納箱２の側面２１の上下幅と略同じ長さの幅（長方形の短辺）を有する基板１２と、基板１２の幅方向両端（長方形の対向する長辺）に連続して立設する一対の挟持板１３ａ，１３ｂとを有する。一対の挟持板１３ａ，１３ｂは、四角形形状を有し、自由端である先端側に向かうに従って内方へ緩やかに傾くように形成されている。この一対の挟持板１３ａ，１３ｂは、基板１２と連設する基端部で弾性変形可能であり、先端側の間隔を手で広げることができる。また、一対の挟持板１３ａ，１３ｂの先端付近の内面には係合爪１４が突出して形成されている。ホルダー本体１０は、プラスチック製の一体成形品により形成されるが、金属板により形成したものでもよい。
【００１５】
可動板１１は、ホルダー本体１０の外面側に設けられ、ホルダー本体１０の基板１２と一方の挟持板１３ａとを連設する角部に回動可能に軸支されている。この可動板１１を展開しその上に隣接物４１を載せてホルダー本体１０を固定させる（図３参照）。可動板１１の基端部には、軸部１１ａが可動板１１の左右端より両側方へ突出するように形成され、この軸部１１ａが挟持板１３ａの下端両端部に形成する筒状の軸筒部１５に挿通されている。軸部１１ａは、可動板１１の基端部において挟持板１３ａと対面する内面側に寄せて形成され、軸筒部１５は、挟持板１３ａを外方へ筒状に湾曲させて形成されている。従って、可動板１１の軸支部分がビニール袋収納箱２を配置させる基板１２及び挟持板１３ａの内面側に出っ張らないようにしている。この可動板１１は、挟持板１３ａの外面に沿って配置される折畳状態（図１中、点線で示す可動板１１）と、基板１２と面一に外方へ延びるように配置される展開状態とに変更可能に回動させることができる。そして、可動板１１は、折畳状態のときには先端部が挟持板１３ａの外面に突設する突部１６に係合されて折畳状態が維持され、また、展開状態のときには可動板１１の基端面が基板１２の端部に形成した当たり面１７と当接して回動規制されて展開状態が維持される。
【００１６】
以上の構成のビニール袋収納箱ホルダー１を使用する際には、図３、図４を参照して、ビニール袋収納箱２の細幅の側面２１ｂ側からホルダー本体１０の一対の挟持板１３ａ，１３ｂを差し込み、ホルダー本体１０の基板１２の内面をビニール袋収納箱２の側面２１ｂと対接させて一対の挟持板１３ａ，１３ｂによりビニール袋収納箱２の上下面２２ａ，２２ｂを挟むようにして取り付ける。また、一対の挟持板１３ａ，１３ｂの内面に形成する各係合爪１４を、ビニール袋収納箱２の側面２１ａから上下面２２ａ，２２ｂの一部に連続形成された袋取出し口２０の上下面２２ａ，２２ｂでの形成部分（第１の被係合部２４）に引っ掛ける（図４参照）。各係合爪１４の上面１４ａは、係合爪１４の先端側へ向かうに従って下方（挟持板１３ａ，１３ｂの基端側）に傾斜した傾斜面とされているので（図１参照）、ビニール袋収納箱２を一対の挟持板１３ａ，１３ｂ間に差し込む際にビニール袋収納箱２の角部が係合爪１４の傾斜した上面１４ａに案内され、ビニール袋収納箱２の角部が係合爪１４に引っ掛からずに円滑に係合爪１４を乗り越えて一対の挟持板１３ａ，１３ｂ間にビニール袋収納箱２を円滑に配置させることができる。次いで、ビニール袋収納箱２を取り付けたビニール袋収納箱ホルダー１は、可動板１１を展開状態にしてキャビネットや机等の天面（固定面４）にホルダー本体１０の基板１２を向けて載置させ、この天面に載置されている隣接物（載置物）４１を可動板１１の上に載せて動かないように保持させる。可動板１１には、板面に開口する貫通孔１１ｂ（図２（ｂ）参照）が設けられているので、隣接物４１が脚４２を有するものである場合は、貫通孔１１ｂ内に隣接物４１の脚４２を配置することにより、この隣接物４１が傾くことなく可動板１１を押さえることができる。
【００１７】
以上より、ビニール袋収納箱ホルダー１によれば、一対の挟持板１３ａ，１３ｂは、先端側を内方へ傾けて形成されているので、ビニール袋収納箱２の取り付け状態では、一対の挟持板１３ａ，１３ｂがビニール袋収納箱２の上下面２２ａ，２２ｂに圧接してビニール袋収納箱２を安定して保持することができる。また、一対の挟持板１３ａ，１３ｂの先端側の内面に形成する各係合爪１４は、袋取出し口２０に引っ掛けられており、しかも、一対の挟持板１３ａ，１３ｂは係合爪１４を形成する先端側を内方へ傾けて形成されているので、各係合爪１４は、袋取出し口２０に対して深く差し込まれて袋取出し口２０から脱出し難くなっている。従って、ビニール袋収納箱２からビニール袋３を引っ張り出すときには、ビニール袋収納箱２がホルダー本体１０から引き抜かれないように静止させることができる。また、各係合爪１４は、挟持板１３ａ，１３ｂの内面において基板１２面と平行に横方向に延びるように形成されており（図２（ａ）、図１参照）、袋取出し口２０におけるまっすぐ横に延びた縁部分である第１の被係合部２４（図４参照）と略整合して引っ掛けられる。従って、ビニール袋収納箱２からビニール袋３を引っ張り出すときには、ビニール袋収納箱２がホルダー本体１０に対して左右に揺れ動かないように静止させることができる。このように、ホルダー本体１０は、一対の挟持板１３ａ，１３ｂ及び係合爪１４によってビニール袋３を引っ張り出すときにビニール袋収納箱２が動かないように保持することができる。
【００１８】
そして、ビニール袋収納箱ホルダー１は、図３、図４に示すように、薄型のビニール袋収納箱２を細幅の側面２１ａを上下方向（鉛直方向）に向けて、ビニール袋収納箱２の長手側を横向きにして立たせるようにするので机上等に置かれている複数の載置物４１の間の狭いスペースにビニール袋収納箱２を配置させることができ、且つ、隣接した載置物４１（隣接物４１）を展開状態の可動板１１の上に載せてビニール袋収納箱２が動かないように保持させることができる。従って、既に存在する複数の載置物４１の間のデッドスペース等を有効に利用してビニール袋収納箱２を省スペースに配置させることができ、且つビニール袋収納箱２からビニール袋３を引っ張り出す際にはビニール袋収納箱２が動かず円滑にビニール袋３を取り出すことができる。
【００１９】
また、ビニール袋収納箱２には、上下面２２ａ，２２ｂにおいて一方の短辺寄りの部分に長方形形状の孔からなる第２の被係合部２５が開口形成できるように切り取り線Ｙ（図８参照）が設けられている。従って、ビニール袋収納箱２においてこの切り取り線Ｙに沿って箱構成基材を切り取って第２の被係合部２５を開口形成することにより、図５に示すように、ビニール袋収納箱ホルダー１をビニール袋収納箱２の短手の側面２１ｃ側から取り付け、第２の被係合部２５にホルダー本体１０の係合爪１４を引っ掛ける取り付け状態とすることもできる。この場合、ビニール袋収納箱２の長手側を縦向きにして立たせることができ、例えば、奥行きの狭いすき間にビニール袋収納箱２を配置させたい場合やビニール袋３を横方向に引っ張り出したい場合等に適したホルダー取り付け状態となる。なお、第２の被係合部２５は、孔ではなく、切り取り線を切り離して形成する切込みであってもよい。
【００２０】
一方、他方の挟持板１３ｂの外面には、可動板１１とは別の保持体としてシート状の磁石２６が設けられている（図１、図２参照）。図６に示すように、この磁石２６でビニール袋収納箱ホルダー１を冷蔵庫の壁面等のような金属面（固定面４）に磁気吸着させることにより、ビニール袋３を引っ張り出す際にビニール袋収納箱２が動かないように固定することができる。磁石２６を設ける他方の挟持板１３ｂは、対向する一方の挟持板１３ａよりも先端側が長く形成されているので、磁石２６の吸着面積を広く確保してホルダー本体１０を固定面４に対して安定して保持させることができる。なお、別の保持体として、磁石２６に代えて、吸盤、両面粘着テープ、面ファスナー等のような様々な固定手段を用いることができ、また、基板１２又は挟持板１３にビス孔を設けて壁面等の固定面４にビス止めで固定するような固定手段でもよい。また、本考案のビニール袋収納箱ホルダー１は、磁石２６等のような別の保持体を設けず可動板１１だけを設ける構成でもよいし、また、可動板１１を設けず別の保持体だけを設ける構成でもよい。
【００２１】
なお、上記のビニール袋収納箱ホルダー１において、一対の挟持板１３ａ，１３ｂに形成する各係合爪１４の先端部には、ゴム、スポンジ等のような抵抗体を設けるようにしてもよい。この場合、一対の挟持板１３ａ，１３ｂが内方へ傾斜して各係合爪１４が箱内部に深く差し込まれているので、ビニール袋収納箱２の袋取出し口２０から取り出されるビニール袋３は、係合爪１４の先端部の抵抗体が引っ張り出されるビニール袋３の片面に接触される。これにより、ビニール袋３を引っ張り出す際にビニール袋３の２面を構成する２つのシート部３１ａ，３１ｂ（図９参照）の重なりがずらされ、取り出したビニール袋３の開口部３０を容易に開口させることができる。
【００２２】
次に、ビニール袋収納箱２について説明する。
図８に示すように、ビニール袋収納箱２は、側面２１の上下幅が左右幅よりも狭い長方形形状の薄型の矩形箱から形成されている。この箱内部には多数枚積層したビニール袋３が収納されている。側面２１のサイズとしては、例えば、長手側の側面２１ａ，２１ｂは、上下幅２０ｍｍ、左右幅２５５ｍｍとし、短手側の側面２１ｃ，２１ｄは、上下幅２０ｍｍ、左右幅１０５ｍｍとする。
【００２３】
このビニール袋収納箱２は、細幅の側面２１から箱内部のビニール袋３を１枚ずつ取り出すようにするため、側面２１に袋取出し口２０が開口形成される。この袋取出し口２０は、箱の長手側の一方の側面２１ａから上下面２２ａ，２２ｂの一部と連続して形成される。そして、袋取出し口２０は、側面２１ａから上下面２２ａ，２２ｂに連続して予め形成された断続的な切り込みの切り取り線Ｘに沿って箱構成基材を引き離すことにより形成される。切り取り線Ｘにおける上下面２２ａ，２２ｂの形成部分では、中央部に切り離しの起点となるコ字状の摘み上げ部分２３が形成されており、また、この摘み上げ部分２３の内側には指先を挿入できる抜き穴を形成するための円形切り取り線Ｘ１が形成されている。そして、このコ字状の摘み上げ部分２３の跡として、袋取出し口２０における上下面２２ａ，２２ｂの形成部分には、その中央部にてコ字状の第１の被係合部２４が形成される。この第１の被係合部２４は、上述したビニール袋収納箱ホルダー１を袋取出し口２０と対向する側面２１ｂ側から取り付けた場合にホルダー本体１０の係合爪１４が引っ掛けられる部分となる（図４参照）。
【００２４】
また、箱の上下面２２ａ，２２ｂにおける一方の短辺寄りの部分には、長方形形状の孔からなる第２の被係合部２５が箱に予め形成した断続的な切り込みの長方形切り取り線Ｙに沿って箱構成基材を切り離すことにより開口形成される。この第２の被係合部２５は、上述したビニール袋収納箱ホルダー１を短手の側面２１ｃ側から取り付けた場合にホルダー本体１０の係合爪１４が引っ掛けられる部分となる（図５参照）。
【００２５】
また、ビニール袋収納箱２の上下面２２ａ，２２ｂには、保持片２７を形成するための断続的な切り込みからなる切り離し線Ｚが形成されている。この切り離し線Ｚは、始端Ｚ１と終端Ｚ２が袋取出し口２０を形成する側面２１ａと対向した側面２１ｂとの角部に達するように形成されている。この切り離し線Ｚに沿って切り離した上下面２２ａ，２２ｂの箱構成基材が側面２１ｂと面一に展開可能な保持片２７（図１０（ｃ）参照）となる。保持片２７を展開させてビニール袋収納箱２を立てて、保持片２７の上に隣接する載置物４１を載せることによりビニール袋収納箱２を動かないように保持させることができる。この状態では、ビニール袋収納箱２からビニール袋３を引っ張り出す際にはビニール袋収納箱２が動かず円滑にビニール袋３を取り出すことができる。なお、このような保持片２７を形成する切り離し線Ｚは、袋取出し口２０を形成する側面２１ａと隣接する短手の側面２１ｃ，２１ｄの側にも、或いは、短手の側面２１ｃ，２１ｄの側にだけ形成するようにしてもよい。
【００２６】
以上のビニール袋収納箱２によれば、薄型のビニール袋収納箱２を細幅の側面２１を上下方向（鉛直方向）に向けてキャビネットや机上等に置かれている複数の載置物４１の間の狭いスペースに配置させることができ、側面２１ａの袋取出し口２０からビニール袋３の取り出しを円滑に行うことができる。また、ビニール袋収納箱ホルダー１の取り付けに適したものとなる。
【００２７】
次に、ビニール袋収納箱２に収納するビニール袋３について説明する。
図９（ａ）（ｂ）に示すように、ビニール袋３は、袋を形成する二つのシート部３１ａ，３１ｂが重なり合った縦長の長方形形状を有し、袋の開口部３０付近の中央部には、二つのシート部３１ａ，３１ｂに同じ大きさ、形状及び位置にて貫通させた円形の指掛け孔３２が設けられている。この指掛け孔３２に指を引っ掛けてビニール袋収納箱２からビニール袋３を取り出すことができ（図７参照）、これにより、指が滑らずビニール袋３の取り出しを容易に行うことができるとともに、ビニール袋３を取り出した後に指掛け孔３２に指を掛けた状態で他の指と擦り合わせることでビニール袋３の開口部３０を簡単に開くことができる。なお、指掛け孔３２の形状は、円形に限らず、楕円形や多角形等の様々な形状でもよい。指掛け孔３２の形成位置も、開口部３０付近における中央部に限らず右側部又は左側部でもよい。
【００２８】
また、ビニール袋３の一方のシート部３１ａにおいて指掛け孔３２の外周部分には、指掛け孔３２の目印３３となる印刷がリング状に施されている（図９（ｂ）参照）。これにより、ビニール袋収納箱２からビニール袋３を取り出すときには、指掛け孔３２が設けられていることが分かりやすく、指掛け孔３２に指を引っ掛けてビニール袋３を取り出すように促すことができる。なお、この目印３３の印刷は、指掛け孔３２の外周部分に限らず指掛け孔３２の周辺の任意の位置に施すことができ、また、リング状に囲むことなく島状、線状等に施すことでもよい。また、目印３３の印刷は、シート部３１の外面及び／又は内面に施すことができ、また、一方のシート部３１ａだけでなく両方のシート部３１ａ，３１ｂに施してもよい。
【００２９】
そして、このビニール袋３は、ビニール袋収納箱２の内部に多数枚積層した状態で収納されている。すなわち、図１０（ａ）に示すように、各ビニール袋３は、開口部３０側を上にして二つ折りに折り畳まれて１袋ずつ谷折り側を交互に対向させて配置し、同じ向きに配置する上側に重ね合わされるビニール袋３ａの下折部分３４と下側に重ね合わされるビニール袋３ｂの上折部分３５とを、逆向きに配置されて対向するビニール袋３ｃの上折部分３５と下折部分３４の間に配置させるように積層してビニール袋３の積層束３６とする。そして、図１０（ｂ）（ｃ）に示すように、この積層束３６を更に二つ折りに折り畳んだ状態でこの二つ折り積層束３６の折り曲げ側３７（山折り側）をビニール袋収納箱２の袋取出し口２０が形成される側面２１ａ側に向けて配置させるようにして箱内部に収納される。これにより、ビニール袋収納箱２からビニール袋３を取り出す際、袋取出し口２０からはビニール袋３の開口部３０の形成側が常に露出されるようになり、また、薄型のビニール袋収納箱２であっても縦長のビニール袋３を小さく折り畳んだ状態で収納させることができる。
【００３０】
以上のビニール袋３によれば、開口部３０側に指掛け孔３２が設けられ、且つ指掛け孔３２の存在を認識させる目印３３の印刷が施されているので、高齢者であってもビニール袋収納箱２からのビニール袋３の取り出しが簡易に行なえ、且つ袋の開口部３０の開口を容易に行うことができる。
【００３１】
なお、本考案は、以上の実施形態のみに限定されず、本考案の要旨の範囲内で各種の変形を施すことが可能である。
【符号の説明】
【００３２】
１  ビニール袋収納箱ホルダー
２  ビニール袋収納箱
３  ビニール袋
４  固定面
１０  ホルダー本体
１１  可動板（保持体）
１１ａ  軸部
１１ｂ  貫通孔
１２  基板
１３ａ，１３ｂ  挟持板
１４  係合爪
１４ａ  係合爪の上面
１５  軸筒部
１６  突部
１７  当たり面
２０  袋取出し口
２１ａ，２１ｂ  ビニール袋収納箱の長手側の側面
２１ｃ，２１ｄ  ビニール袋収納箱の短手側の側面
２２ａ  ビニール袋収納箱の上面
２２ｂ  ビニール袋収納箱の下面
２３  摘み上げ部分
２４  第１の被係合部
２５  第２の被係合部
２６  磁石（別の保持体）
２７  保持片
３０  開口部
３１ａ，３１ｂ  シート部
３２  指掛け孔
３３  目印
３４  下折部分
３５  上折部分
３６  積層束
３７  折り曲げ側
４１  隣接物、載置物
４２  脚
Ｘ，Ｙ  切り取り線
Ｚ  切り離し線
Ｚ１  始端
Ｚ２  終端
【図１】
0003211101.tif 000003
【図２】
0003211101.tif 000004
【図３】
0003211101.tif 000005
【図４】
0003211101.tif 000006
【図５】
0003211101.tif 000007
【図６】
0003211101.tif 000008
【図７】
0003211101.tif 000009
【図８】
0003211101.tif 000010
【図９】
0003211101.tif 000011
【図１０】
0003211101.tif 000012